(57)【要約】【課題】  家電製品などの電子機器の認証期間の有効期限を容易に設定および変更することができる認証方法、認証システム、認証サーバ装置および認証プログラムを提供する。【解決手段】  携帯端末装置１から認証サーバ装置２に対してワンタイムパスワードの発行を要求し、発行されたワンタイムパスワードを認証させたい電子機器である自律型掃除機３に送信する。自律型掃除機３は、認証サーバ装置２に、受信したワンタイムパスワードを送信して認証を求める。認証サーバ装置２は、携帯端末装置１に対して自律型掃除機３の認証を許可するかの確認を求め、携帯端末装置１が許可すれば自律型掃除機３の認証を行う。携帯端末装置１は、ユーザ操作によって、自律型掃除機３の認証期間の有効期限を変更することができる。【選択図】      図１
2014021733.tif 000002
【特許請求の範囲】
【請求項１】
携帯端末装置と、認証サーバ装置と、電子機器とが互いにデータ通信可能に構成される認証システムにおける、認証サーバ装置が電子機器の認証を行う認証方法であって、
（ａ）携帯端末装置が、認証サーバ装置に対して、電子機器を認証させるための認証パスワードの発行を要求するパスワード要求ステップと、
（ｂ）認証サーバ装置が、携帯端末装置から認証パスワードの発行の要求を受けると、認証パスワードを発行し、発行した認証パスワードを、認証パスワードの発行を要求した携帯端末装置に対して送信するパスワード発行ステップと、
（ｃ）携帯端末装置が、認証サーバ装置から認証パスワードを受信すると、受信した認証パスワードを、認証させようとする電子機器に対して送信する送信ステップと、
（ｄ）電子機器が、携帯端末装置から認証パスワードを受信すると、受信した認証パスワードを発行した認証サーバに対して、受信した認証パスワードを送信するとともに、認証を要求する認証要求ステップと、
（ｅ）認証サーバ装置が、電子機器から認証パスワードを受信し、認証の要求を受けると、受信した認証パスワードの発行をパスワード要求ステップで要求した携帯端末装置に対して、電子機器の認証を許可するかどうかを確認する確認ステップと、
（ｆ）携帯端末装置が、認証サーバ装置からの確認に対して電子機器の認証を許可するとの確認結果または許可しないとの確認結果を、認証サーバ装置に送信する確認結果送信ステップであって、電子機器の認証を許可する場合には、認証を継続して許可する期間である認証期間の有効期限を設定し、確認結果と有効期限とを認証サーバ装置に送信する確認結果送信ステップと、
（ｇ）認証サーバ装置が、携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証するとともに、認証期間の有効期限を保存する機器認証ステップと、
（ｈ）携帯端末装置が、機器認証ステップで設定した認証期間の有効期限を変更し、変更後の有効期限を認証サーバ装置に送信する有効期限変更ステップと、
（ｉ）認証サーバ装置が、変更後の有効期限を受信すると、保存された認証期間の有効期限を、受信した変更後の有効期限に更新する有効期限更新ステップと、を有することを特徴とする認証方法。
【請求項２】
複数の電子機器を対象として、（ａ）パスワード要求ステップ、（ｂ）パスワード発行ステップ、（ｃ）送信ステップ、（ｄ）認証要求ステップ、（ｅ）確認ステップ、（ｆ）確認結果送信ステップおよび（ｇ）機器認証ステップを実行することにより、複数の電子機器が認証されたのち、
（ｈ）有効期限変更ステップでは、携帯端末装置が、認証されている各電子機器に対して設定された認証期間の有効期限を、電子機器ごとに変更することを特徴とする請求項１記載の認証方法。
【請求項３】
（ｊ）携帯端末装置が、認証されている電子機器の動作を制御する制御情報を認証サーバ装置に送信する制御情報送信ステップと、
（ｋ）認証サーバ装置が、携帯端末装置から制御情報を受信すると、受信した制御情報を、認証されている電子機器に対して送信する制御情報経由ステップと、
（ｌ）電子機器が、認証サーバ装置から制御情報を受信すると、受信した制御情報に応じて動作する動作ステップと、をさらに有することを特徴とする請求項１または２記載の認証方法。
【請求項４】
認証システムが、複数の携帯端末装置を有し、
複数の携帯端末装置のうち、最初に前記各ステップを実行した携帯端末装置を主端末装置とし、残余の携帯端末装置を副端末装置とし、
主端末装置は、副端末装置が制御情報を送信することを制限可能であることを特徴とする請求項３記載の認証方法。
【請求項５】
（ｍ）電子機器が、受信した制御情報に応じて動作した動作結果を示す動作結果情報を認証サーバ装置に送信する動作結果送信ステップと、
（ｎ）認証サーバ装置が、電子機器から動作結果情報を受信すると、受信した動作結果情報を携帯端末装置に送信する動作結果経由ステップと、
（ｏ）携帯端末装置が、認証サーバ装置から動作結果情報を受信すると、受信した動作結果情報に基づく画像を表示する動作結果表示ステップと、をさらに有することを特徴とする請求項３記載の認証方法。
【請求項６】
電子機器は、文字列を入力する入力手段を備えていないものであることを特徴とする請求項１〜５のいずれか１つに記載の認証方法。
【請求項７】
電子機器は、掃除機、冷蔵庫、照明装置または空気調和装置であることを特徴とする請求項６に記載の認証方法。
【請求項８】
携帯端末装置と、認証サーバ装置と、電子機器とが互いにデータ通信可能に構成され、認証サーバ装置が電子機器の認証を行う認証システムであって、
携帯端末装置は、
認証サーバ装置に対して、電子機器を認証させるための認証パスワードの発行を要求するパスワード要求手段と、
認証サーバ装置から認証パスワードを受信すると、受信した認証パスワードを、認証させようとする電子機器に対して送信する送信手段と、
認証サーバ装置からの確認に対して電子機器の認証を許可するとの確認結果または許可しないとの確認結果を、認証サーバ装置に送信する確認結果送信手段であって、電子機器の認証を許可する場合には、認証を継続して許可する期間である認証期間の有効期限を設定し、確認結果と有効期限とを認証サーバ装置に送信する確認結果送信手段と、
既に設定された認証期間の有効期限を変更し、変更後の有効期限を認証サーバ装置に送信する有効期限変更手段と、を備え、
電子機器は、携帯端末装置から認証パスワードを受信すると、受信した認証パスワードを発行した認証サーバ装置に対して、受信した認証パスワードを送信するとともに、認証を要求する認証要求手段を備え、
認証サーバ装置は、
携帯端末装置から認証パスワードの発行の要求を受けると、認証パスワードを発行し、発行した認証パスワードを、認証パスワードの発行を要求した携帯端末装置に対して送信するパスワード発行手段と、
電子機器から認証パスワードを受信し、認証の要求を受けると、受信した認証パスワードの発行をパスワードを要求した携帯端末装置に対して、電子機器の認証を許可するかどうかを確認する確認手段と、
携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証するとともに、認証期間の有効期限を保存する機器認証手段と、
変更後の有効期限を受信すると、保存された認証期間の有効期限を、受信した変更後の有効期限に更新する有効期限更新手段と、を備えることを特徴とする認証システム。
【請求項９】
携帯端末装置と、認証サーバ装置と、電子機器とが互いにデータ通信可能に構成される認証システムで、電子機器の認証を行う認証サーバ装置であって、
携帯端末装置は、
認証サーバ装置に対して、電子機器を認証させるための認証パスワードの発行を要求するパスワード要求手段と、
認証サーバ装置から認証パスワードを受信すると、受信した認証パスワードを、認証させようとする電子機器に対して送信する送信手段と、
認証サーバ装置からの確認に対して電子機器の認証を許可するとの確認結果または許可しないとの確認結果を、認証サーバ装置に送信する確認結果送信手段であって、電子機器の認証を許可する場合には、認証を継続して許可する期間である認証期間の有効期限を設定し、確認結果と有効期限とを認証サーバ装置に送信する確認結果送信手段と、
既に設定された認証期間の有効期限を変更し、変更後の有効期限を認証サーバ装置に送信する有効期限変更手段と、を備え、
電子機器は、携帯端末装置から認証パスワードを受信すると、受信した認証パスワードを発行した認証サーバ装置に対して、受信した認証パスワードを送信するとともに、認証を要求する認証要求手段を備え、
認証サーバ装置は、
携帯端末装置から認証パスワードの発行の要求を受けると、認証パスワードを発行し、発行した認証パスワードを、認証パスワードの発行を要求した携帯端末装置に対して送信するパスワード発行手段と、
電子機器から認証パスワードを受信し、認証の要求を受けると、受信した認証パスワードの発行をパスワードを要求した携帯端末装置に対して、電子機器の認証を許可するかどうかを確認する確認手段と、
携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証するとともに、認証期間の有効期限を保存する機器認証手段と、
変更後の有効期限を受信すると、保存された認証期間の有効期限を、受信した変更後の有効期限に更新する有効期限更新手段と、を備えることを特徴とする認証サーバ装置。
【請求項１０】
コンピュータを、請求項９記載の認証サーバ装置として機能させるための認証プログラム。
【発明の詳細な説明】
【技術分野】
【０００１】
本発明は、携帯端末装置および電子機器からの要求に応じて、認証サーバ装置が携帯端末装置および電子機器の認証を行う認証方法、認証システム、認証サーバ装置および認証プログラムに関する。
【背景技術】
【０００２】
タッチパネルなどの入力インターフェイスや、大容量かつ小型化された記録メディアの開発が進み、無線通信技術の向上、無線通信設備の整備などにより、スマートフォンやタブレットＰＣ（パーソナルコンピュータ）などの携帯端末装置によって実現できる機能が大幅に向上し、普及率も高いものとなっている。
【０００３】
このような携帯端末装置向けに提供されるサービスも動画や楽曲、電子書籍などの各種コンテンツを配信するコンテンツ配信サービスなど多種多様なものがある。携帯端末装置で各種サービスを受けるためには、サービスを提供する提供者が管理するサーバ装置に携帯端末装置を接続し、コンテンツデータなどをサーバ装置から受信する必要がある。携帯端末装置でサービスの提供を受けるためには、予め携帯端末装置を認証サーバ装置に登録し、必要に応じて認証サーバ装置からの認証を受けて各種データの送受信を行う。
【０００４】
認証サーバ装置による携帯端末装置の認証は、たとえば、携帯端末装置を識別可能な固有の識別情報と、認証パスワードとを予め関連付けて認証サーバ装置に登録しておき、認証が必要な時には、携帯端末装置から識別情報と認証パスワードとを認証サーバ装置に送信し、登録されているものと一致すれば、認証サーバ装置が携帯端末装置を認証する。
【０００５】
認証された携帯端末装置は、サービス提供用のサーバ装置などとデータ通信可能に接続された状態となり、コンテンツデータのダウンロードや共有データのアップロードなどを行うことができる。
【０００６】
サービスの利用性を向上させるには、特定の携帯端末装置のみならず、同じユーザが操作するのであれば他の携帯端末装置であっても認証可能とすることが望ましい。
【０００７】
特許文献１記載のユーザ認証システムは、ユーザ所有機器であれば機器から入力されたパスワードとユーザ認証情報とによりユーザ認証し、ユーザ非所有機器であれば機器から入力されたユーザＩＤおよび一時的パスワードとユーザ認証情報とによりユーザ認証している。
【先行技術文献】
【特許文献】
【０００８】
【特許文献１】特開２００９−１８１３９６号公報
【発明の概要】
【発明が解決しようとする課題】
【０００９】
テレビジョン受像機（テレビ）、ハードディスクレコーダなどの家庭用電化製品（家電製品）もデータ通信可能なものが多くあり、サービスの提供を受ける装置としては、携帯端末装置だけでなく、これらの家電製品も利用することができる。
【００１０】
家電製品の場合も、携帯端末装置と同じく、識別情報と認証パスワードとを認証サーバ装置に送信して認証する。識別情報としては、たとえばユーザＩＤなどを用いるが、同じサービスの提供を受ける場合には、携帯端末装置の認証も家電製品の認証も同じユーザＩＤを用いることができる。パスワードについて携帯端末装置と家電製品とで共通のパスワードとすることも可能であるが、一般的に家電製品については、ユーザ以外の他人が操作する可能性が携帯端末装置よりも高いので、セキュリティ性を高めるために、一時的パスワード（ワンタイムパスワード）を用いる場合が多い。
【００１１】
一時的パスワードの利用は、セキュリティ性が高まる反面、サービスを受けたいときにその都度一時的パスワードの発行を要求し、発行されたパスワードを入力しなければならないので利便性は低下する。
【００１２】
テレビやハードディスクレコーダなどの装置は、一時的パスワードを入力するための入力手段または入力機能を備えているので、一時的パスワードの入力操作自体に大きな困難性はない。
【００１３】
掃除機、冷蔵庫、照明装置または空気調和装置などの家電製品もデータ通信が可能となっており、主に遠隔制御を受け付けるために遠隔制御サーバ装置に接続し、遠隔制御サーバ装置から受信した遠隔制御コマンドに基づいて動作する。
【００１４】
このような場合に、家電製品が認証サーバ装置に対して認証を要求し、一時的パスワードを送信して認証を受けたのちに、改めて遠隔制御サーバ装置に接続して遠隔制御コマンドを受け付けることになる。
【００１５】
しかしながら、家電製品の中には、掃除機、冷蔵庫、照明装置または空気調和装置のように、任意の文字列を入力するための入力手段または入力機能を備えていない製品があり、このような製品では、一時的パスワードを入力することが困難である。
【００１６】
ユーザ以外の他人が使用する可能性が低いなど家電製品の使用状況によっては、認証期間の有効期限を長くしてもセキュリティ性が低下しない場合もある。そのような場合には、認証期間の有効期限を予め長期間に設定したり、使用状況が変化した場合には、有効期限を延長することなどが考えられる。また使用状況によっては、セキュリティ性を高めるために、有効期限を短くしたほうがよい場合もある。そのような場合には、認証期間の有効期限を予め短期間に設定したり、使用状況が変化した場合には、有効期限を短縮することなどが考えられる。
【００１７】
セキュリティ性を確保した上で利便性を向上させるには、認証期間の有効期限を、予め設定または変更できることが好ましいが、前述のような入力手段または入力機能を備えていない製品では、認証期間の有効期限を設定および変更することが困難である。
【００１８】
本発明の目的は、家電製品などの電子機器の認証期間の有効期限を容易に設定および変更することができる認証方法、認証システム、認証サーバ装置および認証プログラムを提供することである。
【課題を解決するための手段】
【００１９】
本発明は、携帯端末装置と、認証サーバ装置と、電子機器とが互いにデータ通信可能に構成される認証システムにおける、認証サーバ装置が電子機器の認証を行う認証方法であって、
（ａ）携帯端末装置が、認証サーバ装置に対して、電子機器を認証させるための認証パスワードの発行を要求するパスワード要求ステップと、
（ｂ）認証サーバ装置が、携帯端末装置から認証パスワードの発行の要求を受けると、認証パスワードを発行し、発行した認証パスワードを、認証パスワードの発行を要求した携帯端末装置に対して送信するパスワード発行ステップと、
（ｃ）携帯端末装置が、認証サーバ装置から認証パスワードを受信すると、受信した認証パスワードを、認証させようとする電子機器に対して送信する送信ステップと、
（ｄ）電子機器が、携帯端末装置から認証パスワードを受信すると、受信した認証パスワードを発行した認証サーバに対して、受信した認証パスワードを送信するとともに、認証を要求する認証要求ステップと、
（ｅ）認証サーバ装置が、電子機器から認証パスワードを受信し、認証の要求を受けると、受信した認証パスワードの発行をパスワード要求ステップで要求した携帯端末装置に対して、電子機器の認証を許可するかどうかを確認する確認ステップと、
（ｆ）携帯端末装置が、認証サーバ装置からの確認に対して電子機器の認証を許可するとの確認結果または許可しないとの確認結果を、認証サーバ装置に送信する確認結果送信ステップであって、電子機器の認証を許可する場合には、認証を継続して許可する期間である認証期間の有効期限を設定し、確認結果と有効期限とを認証サーバ装置に送信する確認結果送信ステップと、
（ｇ）認証サーバ装置が、携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証するとともに、認証期間の有効期限を保存する機器認証ステップと、
（ｈ）携帯端末装置が、機器認証ステップで設定した認証期間の有効期限を変更し、変更後の有効期限を認証サーバ装置に送信する有効期限変更ステップと、
（ｉ）認証サーバ装置が、変更後の有効期限を受信すると、保存された認証期間の有効期限を、受信した変更後の有効期限に更新する有効期限更新ステップと、を有することを特徴とする認証方法である。
【００２０】
また本発明は、複数の電子機器を対象として、（ａ）パスワード要求ステップ、（ｂ）パスワード発行ステップ、（ｃ）送信ステップ、（ｄ）認証要求ステップ、（ｅ）確認ステップ、（ｆ）確認結果送信ステップおよび（ｇ）機器認証ステップを実行することにより、複数の電子機器が認証されたのち、
（ｈ）有効期限変更ステップでは、携帯端末装置が、認証されている各電子機器に対して設定された認証期間の有効期限を、電子機器ごとに変更することを特徴とする。
【００２１】
また本発明は、（ｊ）携帯端末装置が、認証されている電子機器の動作を制御する制御情報を認証サーバ装置に送信する制御情報送信ステップと、
（ｋ）認証サーバ装置が、携帯端末装置から制御情報を受信すると、受信した制御情報を、認証されている電子機器に対して送信する制御情報経由ステップと、
（ｌ）電子機器が、認証サーバ装置から制御情報を受信すると、受信した制御情報に応じて動作する動作ステップと、をさらに有することを特徴とする。
【００２２】
また本発明は、認証システムが、複数の携帯端末装置を有し、
複数の携帯端末装置のうち、最初に前記各ステップを実行した携帯端末装置を主端末装置とし、残余の携帯端末装置を副端末装置とし、
主端末装置は、副端末装置が制御情報を送信することを制限可能であることを特徴とする。
【００２３】
また本発明は、（ｍ）電子機器が、受信した制御情報に応じて動作した動作結果を示す動作結果情報を認証サーバ装置に送信する動作結果送信ステップと、
（ｎ）認証サーバ装置が、電子機器から動作結果情報を受信すると、受信した動作結果情報を携帯端末装置に送信する動作結果経由ステップと、
（ｏ）携帯端末装置が、認証サーバ装置から動作結果情報を受信すると、受信した動作結果情報に基づく画像を表示する動作結果表示ステップと、をさらに有することを特徴とする。
【００２４】
また本発明は、電子機器は、文字列を入力する入力手段を備えていないものであることを特徴とする。
【００２５】
また本発明は、電子機器は、掃除機、冷蔵庫、照明装置または空気調和装置であることを特徴とする。
【００２６】
また本発明は、携帯端末装置と、認証サーバ装置と、電子機器とが互いにデータ通信可能に構成され、認証サーバ装置が電子機器の認証を行う認証システムであって、
携帯端末装置は、
認証サーバ装置に対して、電子機器を認証させるための認証パスワードの発行を要求するパスワード要求手段と、
認証サーバ装置から認証パスワードを受信すると、受信した認証パスワードを、認証させようとする電子機器に対して送信する送信手段と、
認証サーバ装置からの確認に対して電子機器の認証を許可するとの確認結果または許可しないとの確認結果を、認証サーバ装置に送信する確認結果送信手段であって、電子機器の認証を許可する場合には、認証を継続して許可する期間である認証期間の有効期限を設定し、確認結果と有効期限とを認証サーバ装置に送信する確認結果送信手段と、
既に設定された認証期間の有効期限を変更し、変更後の有効期限を認証サーバ装置に送信する有効期限変更手段と、を備え、
電子機器は、携帯端末装置から認証パスワードを受信すると、受信した認証パスワードを発行した認証サーバ装置に対して、受信した認証パスワードを送信するとともに、認証を要求する認証要求手段を備え、
認証サーバ装置は、
携帯端末装置から認証パスワードの発行の要求を受けると、認証パスワードを発行し、発行した認証パスワードを、認証パスワードの発行を要求した携帯端末装置に対して送信するパスワード発行手段と、
電子機器から認証パスワードを受信し、認証の要求を受けると、受信した認証パスワードの発行をパスワードを要求した携帯端末装置に対して、電子機器の認証を許可するかどうかを確認する確認手段と、
携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証するとともに、認証期間の有効期限を保存する機器認証手段と、
変更後の有効期限を受信すると、保存された認証期間の有効期限を、受信した変更後の有効期限に更新する有効期限更新手段と、を備えることを特徴とする認証システムである。
【００２７】
また本発明は、携帯端末装置と、認証サーバ装置と、電子機器とが互いにデータ通信可能に構成される認証システムで、電子機器の認証を行う認証サーバ装置であって、
携帯端末装置は、
認証サーバ装置に対して、電子機器を認証させるための認証パスワードの発行を要求するパスワード要求手段と、
認証サーバ装置から認証パスワードを受信すると、受信した認証パスワードを、認証させようとする電子機器に対して送信する送信手段と、
認証サーバ装置からの確認に対して電子機器の認証を許可するとの確認結果または許可しないとの確認結果を、認証サーバ装置に送信する確認結果送信手段であって、電子機器の認証を許可する場合には、認証を継続して許可する期間である認証期間の有効期限を設定し、確認結果と有効期限とを認証サーバ装置に送信する確認結果送信手段と、
既に設定された認証期間の有効期限を変更し、変更後の有効期限を認証サーバ装置に送信する有効期限変更手段と、を備え、
電子機器は、携帯端末装置から認証パスワードを受信すると、受信した認証パスワードを発行した認証サーバ装置に対して、受信した認証パスワードを送信するとともに、認証を要求する認証要求手段を備え、
認証サーバ装置は、
携帯端末装置から認証パスワードの発行の要求を受けると、認証パスワードを発行し、発行した認証パスワードを、認証パスワードの発行を要求した携帯端末装置に対して送信するパスワード発行手段と、
電子機器から認証パスワードを受信し、認証の要求を受けると、受信した認証パスワードの発行をパスワードを要求した携帯端末装置に対して、電子機器の認証を許可するかどうかを確認する確認手段と、
携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証するとともに、認証期間の有効期限を保存する機器認証手段と、
変更後の有効期限を受信すると、保存された認証期間の有効期限を、受信した変更後の有効期限に更新する有効期限更新手段と、を備えることを特徴とする認証サーバ装置である。
【００２８】
また本発明は、コンピュータを、上記の認証サーバ装置として機能させるための認証プログラムである。
【発明の効果】
【００２９】
本発明によれば、携帯端末装置と、認証サーバ装置と、電子機器とが互いにデータ通信可能に構成される認証システムにおける、認証サーバ装置が電子機器の認証を行う認証方法である。
【００３０】
（ａ）パスワード要求ステップでは、認証サーバ装置によってすでに認証された携帯端末装置が、認証サーバ装置に対して、電子機器を認証させるための認証パスワードの発行を要求すると、
（ｂ）パスワード発行ステップでは、認証サーバ装置が、携帯端末装置から認証パスワードの発行の要求を受けると、認証パスワードを発行し、発行した認証パスワードを、認証パスワードの発行を要求した携帯端末装置に対して送信する。
【００３１】
（ｃ）送信ステップでは、携帯端末装置が、認証サーバ装置から認証パスワードを受信すると、受信した認証パスワードを、認証させようとする電子機器に対して送信すると、
（ｄ）認証要求ステップで、電子機器が、携帯端末装置から認証パスワードを受信すると、受信した認証パスワードを発行した認証サーバに対して、受信した認証パスワードを送信するとともに、認証を要求する。
【００３２】
（ｅ）確認ステップでは、認証サーバ装置が、電子機器から認証パスワードを受信し、認証の要求を受けると、受信した認証パスワードの発行をパスワード要求ステップで要求した携帯端末装置に対して、電子機器の認証を許可するかどうかを確認し、
（ｆ）確認結果送信ステップでは、携帯端末装置が、認証サーバ装置からの確認に対して電子機器の認証を許可するとの確認結果または許可しないとの確認結果を、認証サーバ装置に送信し、電子機器の認証を許可する場合には、認証を継続して許可する期間である認証期間の有効期限を設定し、確認結果と有効期限とを認証サーバ装置に送信する。
【００３３】
（ｇ）機器認証ステップでは、認証サーバ装置が、携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証するとともに、認証期間の有効期限を保存する。
【００３４】
（ｈ）有効期限変更ステップで、携帯端末装置が、機器認証ステップで設定した認証期間の有効期限を変更し、変更後の有効期限を認証サーバ装置に送信すると、
（ｉ）有効期限更新ステップで、認証サーバ装置が、変更後の有効期限を受信すると、保存された認証期間の有効期限を、受信した変更後の有効期限に更新する。
【００３５】
このような方法で電子機器を認証することにより、家電製品などの電子機器の認証期間の有効期限を容易に設定および変更することができる。
【００３６】
また本発明によれば、複数の電子機器が認証されたのちでは、（ｈ）有効期限変更ステップにおいて、携帯端末装置が、認証されている各電子機器に対して設定された認証期間の有効期限を、電子機器ごとに変更することができる。
【００３７】
また本発明によれば、（ｊ）制御情報送信ステップで、携帯端末装置が、認証されている電子機器の動作を制御する制御情報を認証サーバ装置に送信すると、（ｋ）制御情報経由ステップで、認証サーバ装置が、携帯端末装置から制御情報を受信すると、受信した制御情報を、認証されている電子機器に対して送信する。（ｌ）動作ステップでは、電子機器が、認証サーバ装置から制御情報を受信すると、受信した制御情報に応じて動作する。
【００３８】
これにより、認証サーバ装置を介して携帯端末装置が電子機器を遠隔制御して動作させることができる。
【００３９】
また本発明によれば、認証システムが、複数の携帯端末装置を有しており、複数の携帯端末装置のうち、前記各ステップを実行した携帯端末装置を主端末装置とし、残余の携帯端末装置を副端末装置とすると、主端末装置は、副端末装置が制御情報を送信することを制限可能である。
【００４０】
これにより、認証システムに、複数の携帯端末装置が属しているような場合であっても、副端末装置が制御情報を送信することを制限して、主端末装置のみが制御情報を送信するような状態とすることができる。
【００４１】
また本発明によれば、（ｍ）動作結果送信ステップで、電子機器が、受信した制御情報に応じて動作した動作結果を示す動作結果情報を認証サーバ装置に送信すると、（ｎ）動作結果経由ステップで、認証サーバ装置が、電子機器から動作結果情報を受信すると、受信した動作結果情報を携帯端末装置に送信する。（ｏ）動作結果表示ステップでは、携帯端末装置が、認証サーバ装置から動作結果情報を受信すると、受信した動作結果情報に基づく画像を表示する。
【００４２】
これにより、遠隔地で動作した電子機器が、送信した制御情報に応じた動作を正常に行ったかどうかを携帯端末装置で確認することができる。
【００４３】
また本発明によれば、文字列を入力する入力手段を備えていない電子機器であっても、認証サーバ装置に電子機器を認証させることができる。
【００４４】
また本発明によれば、電子機器として、掃除機、冷蔵庫、照明装置または空気調和装置を認証させることができる。
【００４５】
また本発明によれば、携帯端末装置と、認証サーバ装置と、電子機器とが互いにデータ通信可能に構成され、認証サーバ装置が電子機器の認証を行う認証システムである。
【００４６】
認証サーバ装置によってすでに認証された状態で、携帯端末装置のパスワード要求手段が、認証サーバ装置に対して、電子機器を認証させるための認証パスワードの発行を要求すると、認証サーバ装置のパスワード発行手段が、携帯端末装置から認証パスワードの発行の要求を受けると、認証パスワードを発行し、発行した認証パスワードを、認証パスワードの発行を要求した携帯端末装置に対して送信する。
【００４７】
認証サーバ装置から認証パスワードを受信すると、携帯端末装置の送信手段が、受信した認証パスワードを、認証させようとする電子機器に対して送信し、携帯端末装置から認証パスワードを受信すると、電子機器の認証要求が、受信した認証パスワードを発行した認証サーバに対して、受信した認証パスワードを送信するとともに、認証を要求する。
【００４８】
電子機器から認証パスワードを受信し、認証の要求を受けると、認証サーバ装置の確認手段が、受信した認証パスワードの発行を要求した携帯端末装置に対して、電子機器の認証を許可するかどうかを確認し、携帯端末装置の確認結果送信手段が、認証サーバ装置からの確認に対して電子機器の認証を許可するとの確認結果または許可しないとの確認結果を、認証サーバ装置に送信し、電子機器の認証を許可する場合には、認証を継続して許可する期間である認証期間の有効期限を設定し、確認結果と有効期限とを認証サーバ装置に送信する。
【００４９】
認証サーバ装置の機器認証手段が、携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証するとともに、認証期間の有効期限を保存する。
【００５０】
携帯端末装置の有効期限変更手段が、設定された認証期間の有効期限を変更し、変更後の有効期限を認証サーバ装置に送信すると、認証サーバ装置の有効期限更新手段が、変更後の有効期限を受信し、保存された認証期間の有効期限を、受信した変更後の有効期限に更新する。
【００５１】
このような認証システムで電子機器を認証することにより、家電製品などの電子機器の認証期間の有効期限を容易に設定および変更することができる。
【００５２】
また本発明によれば、携帯端末装置と、認証サーバ装置と、電子機器とが互いにデータ通信可能に構成で、電子機器の認証を行う認証サーバ装置である。
【００５３】
認証サーバ装置によってすでに認証された状態で、携帯端末装置のパスワード要求手段が、認証サーバ装置に対して、電子機器を認証させるための認証パスワードの発行を要求すると、認証サーバ装置のパスワード発行手段が、携帯端末装置から認証パスワードの発行の要求を受けると、認証パスワードを発行し、発行した認証パスワードを、認証パスワードの発行を要求した携帯端末装置に対して送信する。
【００５４】
認証サーバ装置から認証パスワードを受信すると、携帯端末装置の送信手段が、受信した認証パスワードを、認証させようとする電子機器に対して送信し、携帯端末装置から認証パスワードを受信すると、電子機器の認証要求が、受信した認証パスワードを発行した認証サーバに対して、受信した認証パスワードを送信するとともに、認証を要求する。
【００５５】
電子機器から認証パスワードを受信し、認証の要求を受けると、認証サーバ装置の確認手段が、受信した認証パスワードの発行を要求した携帯端末装置に対して、電子機器の認証を許可するかどうかを確認し、携帯端末装置の確認結果送信手段が、認証サーバ装置からの確認に対して電子機器の認証を許可するとの確認結果または許可しないとの確認結果を、認証サーバ装置に送信し、電子機器の認証を許可する場合には、認証を継続して許可する期間である認証期間の有効期限を設定し、確認結果と有効期限とを認証サーバ装置に送信する。
【００５６】
認証サーバ装置の機器認証手段が、携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証するとともに、認証期間の有効期限を保存する。
【００５７】
携帯端末装置の有効期限変更手段が、設定された認証期間の有効期限を変更し、変更後の有効期限を認証サーバ装置に送信すると、認証サーバ装置の有効期限更新手段が、変更後の有効期限を受信し、保存された認証期間の有効期限を、受信した変更後の有効期限に更新する。
【００５８】
このような認証サーバ装置で電子機器を認証することにより、家電製品などの電子機器の認証期間の有効期限を容易に設定および変更することができる。
【００５９】
また本発明によれば、コンピュータを、上記の認証サーバ装置として機能させるためのプログラムを提供することができる。
【図面の簡単な説明】
【００６０】
【図１】本発明の実施形態である認証システムＡの構成を示す概略図である。
【図２】認証サーバ装置２の構成を示すブロック図である。
【図３】携帯端末装置１の構成を示すブロック図である。
【図４】自律型掃除機３の構成を示すブロック図である。
【図５Ａ】認証システムＡにおける認証処理を示すシーケンス図である。
【図５Ｂ】認証システムＡにおける認証処理を示すシーケンス図である。
【図６】認証処理における携帯端末装置１の表示部１６に表示される画面例を示す図である。
【図７】遠隔制御サービス利用時における携帯端末装置１の表示部１６に表示される画面例を示す図である。
【図８】有効期限の変更を行う場合に、携帯端末装置１の表示部１６に表示される画面例を示す図である。
【図９】遠隔制御を行う場合に携帯端末装置１の表示部１６に表示される画面例を示す図である。
【図１０】制限処理を行う場合に携帯端末装置１の表示部１６に表示される画面例を示す図である。
【発明を実施するための形態】
【００６１】
図１は、本発明の実施形態である認証システムＡの構成を示す概略図である。
認証システムＡは、携帯端末装置１と、認証サーバ装置２と、自律型掃除機３と、冷蔵庫４と含み、認証サーバ装置２と携帯端末装置１、自律型掃除機３および冷蔵庫４とは、移動体通信網、公衆電話回線網およびインターネットなどの各種ネットワークＮを介して接続される。
【００６２】
携帯端末装置１と自律型掃除機３および冷蔵庫４とは、近距離無線通信が可能であり、たとえばＷｉ−Ｆｉ（登録商標）、Ｂｌｕｅｔｏｏｔｈ（登録商標）あるいはＺｉｇｂｅｅ（登録商標）などの通信方式で無線通信を行う。
【００６３】
携帯端末装置１は、たとえばスマートフォン、タブレットＰＣなどで実現される。以下では、携帯端末装置１がスマートフォンである場合を例にして説明する。
【００６４】
自律型掃除機３は、いわゆる掃除ロボットであり、予め定める走行ルートか、障害物を避けながら走行する走行ルートに沿って自走し、床面上のごみを吸引して除去する電子機器である。
【００６５】
冷蔵庫４は、冷蔵室、冷凍室、野菜室などの複数の収容空間を持ち、飲食物などを冷蔵保管または冷蔵保管する電子機器である。
【００６６】
図２は、認証サーバ装置２の構成を示すブロック図である。認証サーバ装置２は、通信部２１、ＣＰＵ２２、一時記憶部２３および記憶部２４を含んで構成される。通信部２１は、ネットワークＮと接続するためのインターフェイスである。ＣＰＵ（中央演算処理装置）２２は、認証サーバ装置２全体の動作を制御する。一時記憶部２３は、書き込み速度および読み出し速度が記憶部２４よりも高速で揮発性の記憶装置、たとえばＤＲＡＭなどの半導体メモリによって構成され、ＣＰＵ２２がプログラムを実行するために必要な情報を一時的に記憶するワークメモリである。記憶部２４は、不揮発性の大容量の記憶装置、たとえばＳＳＤあるいはフラッシュメモリカードなどの半導体メモリ、またはＨＤＤなどによって構成される。記憶部２４は、ＣＰＵ２２によって実行される各種プログラムを記憶するプログラム記憶領域２４ａおよびＣＰＵ２２が各種プログラムを実行するために必要なデータを記憶するデータ記憶領域２４ｂを有する。
【００６７】
図３は、携帯端末装置１の構成を示すブロック図である。携帯端末装置１は、通信部１１、ＣＰＵ１２、一時記憶部１３、記憶部１４、操作部１５および表示部１６を含んで構成される。
【００６８】
通信部１１は、ネットワークＮおよび電子機器である自律型掃除機３および冷蔵庫４と接続するためのインターフェイスであり、無線通信によって接続するためのアンテナ１１ａを有する。ＣＰＵ１２は、携帯端末装置１全体の動作を制御する。一時記憶部１３は、書き込み速度および読み出し速度が記憶部１４よりも高速で揮発性の記憶装置、たとえばＤＲＡＭなどの半導体メモリによって構成され、ＣＰＵ１２がプログラムを実行するために必要な情報を一時的に記憶するワークメモリである。記憶部１４は、不揮発性の大容量の記憶装置、たとえばＳＳＤあるいはフラッシュメモリカードなどの半導体メモリ、またはＨＤＤなどによって構成される。記憶部１４は、ＣＰＵ１２によって実行される各種プログラムを記憶するプログラム記憶領域１４ａおよびＣＰＵ１２が各種プログラムを実行するために必要なデータを記憶するデータ記憶領域１４ｂを有する。
【００６９】
操作部１５は、文字、数字および記号などの情報などを入力するための複数のキーによって構成される。操作部１５は、操作されたキーに対応付けられている情報をＣＰＵ１２に送る。操作部１５は、メカニカルキーであってもよく、ソフトキーであってもよく、ソフトキーを実現するためのタッチパネルを備えることが好ましい。表示部１６は、たとえば液晶パネルなどの表示装置によって構成され、ＣＰＵ１２が生成する画像データに基づいて画像を表示する。図示していないが、携帯端末装置１は、携帯電話装置としての機能を有し、通話音声を出力するためのスピーカ、通話音声を入力するためのマイクなどの電話通信に必要な構成を備えている。
【００７０】
図４は、自律型掃除機３の構成を示すブロック図である。自律型掃除機３は、通信部３１、ＣＰＵ３２、一時記憶部３３、記憶部３４、吸引部３５、走行部３６、発光部３７および撮像部３８を含んで構成される。
【００７１】
通信部３１は、ネットワークＮおよび携帯端末装置１と接続するためのインターフェイスであり、無線通信によって接続するためのアンテナ３１ａを有する。ＣＰＵ３２は、自律型掃除機３全体の動作を制御する。一時記憶部３３は、書き込み速度および読み出し速度が記憶部３４よりも高速で揮発性の記憶装置、たとえばＤＲＡＭなどの半導体メモリによって構成され、ＣＰＵ３２がプログラムを実行するために必要な情報を一時的に記憶するワークメモリである。記憶部３４は、不揮発性の大容量の記憶装置、たとえばＳＳＤあるいはフラッシュメモリカードなどの半導体メモリ、またはＨＤＤなどによって構成される。記憶部３４は、ＣＰＵ３２によって実行される各種プログラムを記憶するプログラム記憶領域３４ａおよびＣＰＵ３２が各種プログラムを実行するために必要なデータを記憶するデータ記憶領域３４ｂを有する。
【００７２】
吸引部３５は、送風機、吸引ノズル、エアフィルタなどからなり、送風機で起こした風により負圧を発生させ、吸引ノズルから塵とともに空気を取込、エアフィルタで塵を捕捉して空気を排出する。走行部３６は、駆動用モータと、駆動輪、自在輪などからなり、駆動用モータにより駆動輪を回転駆動させ、自在輪の向きを変化させて操舵することにより、走行ルートに従って自律型掃除機３を走行させる。
【００７３】
発光部３７は、たとえばＬＥＤなどの発光装置によって実現され、点灯、点滅などすることによって、認証処理中に携帯端末装置１からの認証の確認を待っている待機状態であることをユーザに報知する。ユーザは、自律型掃除機３の発光部３７が発光することで、認証させようとする機器が正しく待機状態にあることを確認することができる。なお、待機状であることをユーザに報知できるものであれば発光部に限らず、報知音声を出力する音声出力部を備えていてもよい。
【００７４】
撮像部３８は、ＣＣＤカメラ、ＣＭＯＳカメラなど被写体を撮影して画像データを生成するデジタルカメラ装置である。撮像部３８は、静止画データおよび動画データのいずれの画像データも生成することができる。撮像部３８が生成した画像データは、記憶部３４のデータ記憶領域３４ｂに記憶される。撮像部３８は、予め定める時刻または時間帯に撮像して画像データを生成するスケジュール撮像と、撮像指示があると撮像して画像データを生成する指示撮像とのいずれの撮像も可能である。後述する携帯端末装置１からの遠隔制御によって撮像指示が行われると、指示に対応して撮像し、画像データを生成する。生成された画像データは、ＣＰＵ３２が通信部３１を介して認証サーバ装置２へと送信する。
【００７５】
図５Ａおよび図５Ｂは、認証システムＡにおける認証処理を示すシーケンス図である。図６は、認証処理における携帯端末装置１の表示部１６に表示される画面例を示す図である。
【００７６】
まず、携帯端末装置１が認証サーバ装置２にログインするために、ステップＡ１で認証サーバ装置２に対して認証情報を送信する。送信する認証情報は、ユーザＩＤ、装置ＩＤなどの識別情報と、認証パスワードである。
【００７７】
認証情報を受信した認証サーバ装置２は、ステップＢ１で記憶部２４に予め登録された認証情報と照合し、一致すれば携帯端末装置１を認証してログインを受け付ける。認証が成功してログインが完了すると携帯端末装置１の表示部１６には、ログイン完了を示す画面が表示される（図６（ａ））。
【００７８】
ユーザが自律型掃除機３を認証させたい場合には、ログインした状態でＩＤの共有を行う。ＩＤの共有を行う場合、携帯端末装置１の表示部１６に、ＩＤ共有画面が表示されるので、たとえば「共有する」と表示されたソフトキー４０をユーザがタップすると、携帯端末装置１は、ステップＡ２で認証サーバ装置２に対してＩＤの共有を要求する。具体的には、携帯端末装置１が、自律型掃除機３を認証させるための認証パスワードの発行を認証サーバ装置２に対して要求する。ここで、認証パスワードは、携帯端末装置１の認証のためのパスワードとは異なり、一時的に発行されるワンタイムパスワードである。
【００７９】
ステップＢ２で、認証サーバ装置２が、携帯端末装置１からＩＤ共有の要求を受けると、ステップＢ３で、ＩＤ共有を要求してきた携帯端末装置１に対して、認証サーバ装置２がＩＤ共有情報を送信する。具体的には、自律型掃除機３を認証するためのワンタイムパスワードを発行するとともに、自律型掃除機３が認証サーバ装置２にアクセスするために必要な認証サーバ装置２のＵＲＬ（サーバＵＲＬ）を、ワンタイムパスワードと併せて携帯端末装置１に送信する。
【００８０】
携帯端末装置１が、ステップＡ３でＩＤ共有情報として、認証サーバ２装置からワンタイムパスワードとサーバＵＲＬとを受信すると、ステップＡ４で、携帯端末装置１が認証させたい電子機器を選択する。
【００８１】
携帯端末装置１は、近距離無線通信によって、自律型掃除機３以外に冷蔵庫４や図示しない空気調和装置（エアコン）、照明装置（シーリングライト）などとも接続可能であり。ＩＤ共有を要求する前に予め、これら複数の電子機器と無線接続による接続状態を確立している。なお、ステップＡ４において、無線接続による接続状態を確立するようにしてもよい。いすれにしても、複数の電子機器との接続状態が確立した状態で、ＩＤを共有したい、すなわち認証させたい電子機器を１つ選択する。
【００８２】
携帯端末装置１の表示部１６に、携帯端末装置１と、現在無線接続による接続状態が確立している電子機器を表示し（図６（ｃ））、表示された電子機器の中から１つの電子機器、本例では自律型掃除機３を選択する。電子機器の選択は、たとえば、「掃除機」ソフトキー４１、「冷蔵庫」ソフトキー４２、「エアコン」ソフトキー４３から１つのソフトキーをユーザがタップすることで選択することができる。以下では、ステップＡ４で、「掃除機」ソフトキー４１がタップされ、自律型掃除機３が選択されたとして説明する。
【００８３】
ステップＡ５では、選択された自律型掃除機３に対して、携帯端末装置１が、認証サーバ装置２から受信したＩＤ共有情報であるワンタイムパスワードとサーバＵＲＬとを、接続が確立されている無線通信によって送信する。
【００８４】
自律型掃除機３は、ステップＣ１で、無線通信によって携帯端末装置１からＩＤ共有情報であるワンタイムパスワードとサーバＵＲＬとを受信する。自律型掃除機３は、ユーザからの入力を受け付ける入力手段を持たないので、ワンタイムパスワードとサーバＵＲＬを受信した自律型掃除機３は、無条件でサーバＵＲＬに基づいて認証サーバ装置２にアクセスし、ワンタイムパスワードを送信して自機の認証を要求する。
【００８５】
認証サーバ装置２は、ステップＢ４で、自律型掃除機３から認証の要求を受け、ワンタイムパスワードを受信すると、ステップＢ５で受信したＩＤ共有情報であるワンタイムパスワードを記憶部２４に登録されている、発行済みのワンタイムパスワードと照合し、一致すれば、ステップＢ６で、認証を要求してきた自律型掃除機３に対して、認証のための動作を待機させるための待機信号を送信する。
【００８６】
ここで、ワンタイムパスワードが一致したとしても即座に自律型掃除機３を認証するのではなく、一旦認証のための動作を待機させる。上記のように、携帯端末装置１は、近距離無線通信によって、広範囲に存在する多くの電子機器と無線接続を確立することができるため、ステップＡ４で選択した１つの電子機器が、ユーザが本来認証させたい電子機器とは一致していない可能性がある。
【００８７】
認証サーバ装置２から待機信号を受信した自律型掃除機３は、ステップＣ３で待機動作を行う。待機動作とは、自律型掃除機３が認証サーバ装置２との接続状態を維持したまま、現在認証を受けようとして待機している電子機器が、自機であることをユーザに対して報知する。具体的には、発光部３７を発光させることでユーザに対して待機状態であることを報知する。
【００８８】
ユーザは、発光部３７の発光を見て、ステップＡ４で選択した電子機器である掃除機が、自分が認証させたい自律型掃除機３であることを確認することができる。
【００８９】
認証サーバ装置２は、ステップＢ６で自律型掃除機３に待機信号を送信した一方で、携帯端末装置１に対しては、ステップＢ７で、ＩＤ共有確認画面を送信する。これにより、認証サーバ装置２から、携帯端末装置１に対して自律型掃除機３の認証を許可するかどうかを確認することになる。
【００９０】
携帯端末装置１は、ステップＡ６で、認証サーバ装置２からＩＤ共有確認画面を受信すると、表示部１６に、ＩＤ共有確認画面を表示する。ＩＤ共有確認画面は、たとえば図６（ｄ）に示すような認証期間の有効期限の設定画面を兼ねている。ＩＤ共有確認画面には、複数のラジオボタン４４が表示され、有効期限となる「２時間」、「５時間」、「無制限」のうち１つを選択することができる。有効期限を選択して設定することは、すなわち認証を許可することと同義であるので、ステップＡ７で認証の確認操作として、ユーザが「２時間」に対応するラジオボタン４４を選択して、「確認」ソフトキー４５をタップすると、ステップＡ８で、携帯端末装置１から認証サーバ装置２に対して、自律型掃除機３の認証を許可するとの確認結果を送信する。このとき、選択した有効期限も確認結果と併せて認証サーバ装置２へと送信する。
【００９１】
また、ユーザが「確認」ソフトキー４５ではなく「キャンセル」ソフトキー４６をタップすると、ステップＡ８で、携帯端末装置１から認証サーバ装置２に対して、自律型掃除機３の認証を許可しないとの確認結果を送信する。
【００９２】
ユーザは、上記のように、発光部３７の発光などによって認証待機状態となっている電子機器を確認し、ユーザが認証させようとしている電子機器と、待機状態となっている電子機器とが一致していれば、「確認」ソフトキー４５をタップすればよく、一致していなければ、ステップＡ４で間違った電子機器を選択してしまったものとして「キャンセル」ソフトキー４６をタップすればよい。
【００９３】
認証サーバ装置２は、ステップＢ８で、携帯端末装置１から確認結果を受信すると、ステップＢ９で、確認結果が、自律型掃除機３の認証を許可するとの結果であるか認証を許可しないとの結果であるかを判断する。携帯端末装置１から受信した確認結果が、自律型掃除機３の認証を許可するとの結果であればステップＢ１０で認証完了信号を、自律型掃除機３に対して送信し、ステップＢ１１で認証完了画面を携帯端末装置１に対して送信する。携帯端末装置１から受信した確認結果が、自律型掃除機３の認証を許可しないとの結果であればステップＢ１２で認証失敗信号を、自律型掃除機３に対して送信する。
【００９４】
自律型掃除機３は、ステップＣ４で、認証サーバ装置２から認証結果を受信する。受信する認証結果は、認証完了信号か認証失敗信号のいずれかである。自律型掃除機３は、ステップＣ５で、認証結果が認証完了であったか認証失敗であったかを判断し、認証完了であれば、ステップＣ６で認証完了動作を行い、認証失敗であれば、ステップＣ７で認証失敗動作を行う。
【００９５】
認証完了動作は、たとえば、携帯端末装置１および自律型掃除機３が、認証サーバ装置２へのログイン状態を維持して、各種サービスの提供を受ける。認証失敗動作は、たとえば、自律型掃除機３が、認証サーバ装置２との接続を切断して、通常の動作状態に復帰する。このとき、携帯端末装置１は、認証サーバ装置２へのログイン状態を維持し、たとえばステップＡ４に戻って、認証させようとする電子機器の選択から認証処理をやり直してもよい。
【００９６】
携帯端末装置１は、ステップＡ９で送信した確認結果が、自律型掃除機３の認証を許可するとの確認結果であったか、認証を許可しないとの確認結果であったかを判断し、認証を許可するとの確認結果であれば、ステップＡ１０で、認証サーバ装置２がステップＢ１１で送信した認証完了画面を受信し、受信した認証完了画面をステップＡ１１で表示部１６に表示する。認証完了画面は、たとえば図６（ｅ）に示すように、「ＩＤを共有しました」など、自律型掃除機３の認証が完了したことをユーザに知らせることができる文字列を表示すればよい。認証を許可しないとの確認結果であれば、携帯端末装置１は、ステップＡ１２で認証キャンセル動作を行う。たとえば、表示部１６に、「認証をキャンセルしました」など自律型掃除機３の認証をキャンセルしたことをユーザに知らせることができる文字列を表示すればよい。
【００９７】
このようにして自律型掃除機３の認証が完了すると、携帯端末装置１および自律型掃除機３は、サービスの提供を受けることができる。本発明において、携帯端末装置１および自律型掃除機３が受けるサービスの種類は特に限定されず、種々のサービスを受けることができる。以下では、携帯端末装置１の操作によって自律型掃除機３の動作を制御する遠隔制御が可能となる機器遠隔制御サービスについて説明する。
【００９８】
自律型掃除機３の認証が完了したのちは、強制的に認証を中断するなどのユーザ操作または認証サーバ装置２により認証を中断するような処理が実行されない限り、ステップＡ８で有効期限として送信された認証期間内は、認証サーバ装置２による自律型掃除機３の認証が継続される。
【００９９】
携帯端末装置１および自律型掃除機３へのサービスの提供にあたっては、認証サーバ装置２との接続からサービス提供用のサーバ装置（サービスサーバ装置）の接続に変更してもよく、認証サーバ装置２がサービスサーバ装置を兼ねるようにしてもよい。本実施形態では、機器遠隔制御サービスの提供にあたって、認証サーバ装置２がサービスサーバ装置として機能する。
【０１００】
自律型掃除機３の遠隔制御は、たとえば、携帯端末装置１と自律型掃除機３とが直接無線通信可能である場合に、携帯端末装置１から自律型掃除機３に対して動作制御情報が送信され、自律型掃除機３が動作制御情報を受信すると、受信した動作制御情報に基づいて自律型掃除機３が動作するというものである。
【０１０１】
このような遠隔制御では、携帯端末装置１と自律型掃除機３とが直接無線通信可能な距離の範囲内、すなわち同じ建物内など限られたで範囲内でしか自律型掃除機３を遠隔制御することができない。
【０１０２】
機器遠隔制御サービスでは、認証された携帯端末装置１と、認証された自律型掃除機３との間にサービスサーバ装置である認証サーバ装置２が介在し、携帯端末装置１から送信される動作制御情報を認証サーバ装置２が経由して自律型掃除機３に送信する。自律型掃除機３は、認証サーバ装置２から動作制御情報を受信すると、受信した動作制御情報に対応する動作を行う。
【０１０３】
機器遠隔制御サービスを利用すれば、携帯端末装置１と自律型掃除機３とがそれぞれネットワークＮを経由して認証サーバ装置２と通信可能に接続できればよいので、携帯端末装置１と自律型掃除機３との距離に関係なく遠隔制御できることになる。
【０１０４】
携帯端末装置１が自律型掃除機３に送信する動作制御情報は、たとえば制御コードと動作指示内容とが予め関連付けられてテーブル化されており、携帯端末装置１をユーザが操作することにより、自律型掃除機３の動作指示が入力されると、入力された動作指示の内容に応じた制御コードが生成される。生成した制御コードを、認証サーバ装置２を経由して自律型掃除機３に送信すると、制御コードを受信した自律型掃除機３は、テーブルを参照し、受信した制御コードに関連付けられた動作指示内容に応じた動作を行う。
【０１０５】
自律型掃除機３であれば、動作指示内容としては、たとえば、吸引部３５の動作開始、吸引部３５の動作停止、走行部３６を動作させて前進、走行部３６を動作させて後進、走行部３６を動作させて右旋回、走行部３６を動作させて左旋回、発光部３７の発光開始、発光部３７の発光停止、撮像部３８を動作させて静止画を撮像、撮像部３８を動作させて動画の撮像開始、撮像部３８を動作させて動画の撮像停止、撮像した画像の携帯端末装置１への送信などがある。
【０１０６】
図７は、遠隔制御サービス利用時における携帯端末装置１の表示部１６に表示される画面例を示す図である。
【０１０７】
上記の認証方法によって、認証システムに属する複数の電子機器に対して、認証サーバ装置２に認証させることで、複数の電子機器を認証サーバ装置にログインさせた状態とすることができる。
【０１０８】
携帯端末装置１をユーザが操作することで、ログイン状態の複数の電子機器から１つの電子機器を選択して、選択した電子機器の有効期限の変更および選択した電子機器を遠隔制御することができる。
【０１０９】
遠隔制御サービスのメニュー画面から、現在ログインしている状態の電子機器一覧を表示する機能を選択する。たとえば、図７（ａ）に示すように、「機器一覧」ソフトキー５０が表示されるので、これをタップすると、現在ログインしている電子機器の一覧を表示し（図７（ｂ））、表示された電子機器の中から１つの電子機器、本例では自律型掃除機３を選択する。電子機器の選択は、たとえば、「掃除機」ソフトキー５１、「冷蔵庫」ソフトキー５２、「エアコン」ソフトキー５３から１つのソフトキーをユーザがタップすることで選択することができる。
【０１１０】
なお、現在ログインしている電子機器に関する情報は、携帯端末装置１が認証サーバ装置２に問い合わせることで認証サーバ装置２から得てもよく、各電子機器に問い合わせることで個別に電子機器から得てもよい。携帯端末装置１は、認証サーバ装置２から得た情報または各電子機器から得た情報に基づいて、現在ログインしている電子機器を検出して一覧表を作成する。
【０１１１】
「掃除機」ソフトキー５１をタップすることで、遠隔制御サービスの対象となる電子機器として自律型掃除機３が選択される。以降は、対象を変更するまでサービスの対象が自律型掃除機３に保持される。
【０１１２】
電子機器が選択されると、対象の電子機器に対応する制御メニューが表示される（図７（ｃ））。実際に自律型掃除機３の遠隔操作を行うか、認証期間の有効期限を変更することができる。たとえば、「遠隔操作」ソフトキー５４、「期限変更」ソフトキー５５のいずれかのソフトキーをユーザがタップすることで、遠隔操作または有効期限の変更を行うことができる。
【０１１３】
図８は、有効期限の変更を行う場合に、携帯端末装置１の表示部１６に表示される画面例を示す図である。ユーザが、「期限変更」ソフトキー５５をタップすると、表示部１６に図８に示す画面が表示される。
【０１１４】
本例では、予め変更後の有効期限として設定可能な期限の候補が複数あり、ユーザが携帯端末装置１を操作することによって、複数の候補から１つを選択する。図８に示す例では、プルダウン形式のセレクトボックス６０を表示し、ユーザが、変更後の有効期限として適切を考える期限を選択して表示させる。ユーザが「変更」ソフトキー６１をタップすると、携帯端末装置１は、セレクトボックス６０に表示されている有効期限を変更後の有効期限として、変更の対象となる電子機器（自律型掃除機３）を識別するための識別情報とともに認証サーバ装置２に送信する。認証サーバ装置は、携帯端末装置１から受信した有効期限を、自律型掃除機３の変更後の有効期限として、設定されている有効期限を更新する。有効期限の更新は、更新前に設定されていた有効期限との置き換えか、または現在時刻から期限終了までの期間の設定のいずれかである。置き換えは、たとえば、更新前の有効期限が、認証時から「３時間」であった場合に、セレクトボックス６０から「１日」を選択すると有効期限が、認証時から「１日」に更新される。期間の設定は、たとえば、セレクトボックス６０から「１日」を選択すると有効期限が、現在時刻から１日に更新される。
【０１１５】
なお、改めて機器一覧から、自律型掃除機３とは別の電子機器、たとえば、冷蔵庫やエアコンを選択すれば、自律型掃除機３と同様に電子機器ごとに認証期間の有効期限を変更することができる。
【０１１６】
図９は、遠隔制御を行う場合に携帯端末装置１の表示部１６に表示される画面例を示す図である。ユーザが、「遠隔操作」ソフトキー５４をタップすると、表示部１６に図９に示す遠隔操作画面が表示される。
【０１１７】
遠隔操作画面には、「運転」ソフトキー６２、「停止」ソフトキー６３、ソフトカーソルキー６４およびモニタリング画面６５が表示される。
【０１１８】
ユーザが「運転」ソフトキー６２をタップすると、携帯端末装置１から認証サーバ装置２に対して動作指示内容として吸引部３５の動作開始を示す制御コードが送信される。認証サーバ装置２は、携帯端末装置１から制御コードを受信すると、制御対象である自律型掃除機３に、受信した制御コードを送信する。自律型掃除機３は、認証サーバ装置２から制御コードを受信すると、テーブルを参照し、受信した制御コードに関連付けられた動作指示内容が吸引部３５の動作開始であると解釈して吸引部３５の動作を開始する。既に吸引部３５の動作が開始されていた場合は、そのまま吸引部３５の動作状態を継続する。
【０１１９】
ユーザが「停止」ソフトキー６３をタップすると、携帯端末装置１から認証サーバ装置２に対して動作指示内容として吸引部３５の動作停止を示す制御コードが送信される。認証サーバ装置２は、携帯端末装置１から制御コードを受信すると、制御対象である自律型掃除機３に、受信した制御コードを送信する。自律型掃除機３は、認証サーバ装置２から制御コードを受信すると、テーブルを参照し、受信した制御コードに関連付けられた動作指示内容が吸引部３５の動作停止であると解釈して吸引部３５の動作を開始する。既に吸引部３５の動作が停止していた場合は、そのまま吸引部３５の停止状態を継続する。
【０１２０】
ソフトカーソルキー６４は、上下左右の４つのキーからなり、自律型掃除機３を前進させるときには、上キー６４ａを長押しし、自律型掃除機３を後進させるときには、下キー６４ｂを長押しし、自律型掃除機３を右旋回させるときには、右キー６４ｃを長押しし、自律型掃除機３を左旋回させるときには、左キー６４ｄを長押しする。
【０１２１】
ユーザが上キー６４ａを長押しすると、携帯端末装置１から認証サーバ装置２に対して動作指示内容として走行部３６を動作させて前進することを示す制御コードが送信される。認証サーバ装置２は、携帯端末装置１から制御コードを受信すると、制御対象である自律型掃除機３に、受信した制御コードを送信する。自律型掃除機３は、認証サーバ装置２から制御コードを受信すると、テーブルを参照し、受信した制御コードに関連付けられた動作指示内容が走行部３６を動作させて前進することであると解釈して走行部３６を動作させる。走行部３６の動作は、たとえば、ソフトカーソルキー６４を長押ししている間継続し、長押しが終了すると走行部３６の動作を停止させるように制御することが好ましい。自律型掃除機３は、上キー６４ａを長押ししている間は前進を続け、長押しが終了すると停止する。
【０１２２】
ユーザが下キー６４ｂを長押しすると、携帯端末装置１から認証サーバ装置２に対して動作指示内容として走行部３６を動作させて後進することを示す制御コードが送信される。認証サーバ装置２は、携帯端末装置１から制御コードを受信すると、制御対象である自律型掃除機３に、受信した制御コードを送信する。自律型掃除機３は、認証サーバ装置２から制御コードを受信すると、テーブルを参照し、受信した制御コードに関連付けられた動作指示内容が走行部３６を動作させて後進することであると解釈して走行部３６を動作させる。自律型掃除機３は、下キー６４ｂを長押ししている間は後進を続け、長押しが終了すると停止する。
【０１２３】
ユーザが右キー６４ｃを長押しすると、携帯端末装置１から認証サーバ装置２に対して動作指示内容として走行部３６を動作させて右旋回することを示す制御コードが送信される。認証サーバ装置２は、携帯端末装置１から制御コードを受信すると、制御対象である自律型掃除機３に、受信した制御コードを送信する。自律型掃除機３は、認証サーバ装置２から制御コードを受信すると、テーブルを参照し、受信した制御コードに関連付けられた動作指示内容が走行部３６を動作させて右旋回することであると解釈して走行部３６を動作させる。自律型掃除機３は、右キー６４ｃを長押ししている間は右旋回を続け、長押しが終了すると停止する。
【０１２４】
ユーザが左キー６４ｄを長押しすると、携帯端末装置１から認証サーバ装置２に対して動作指示内容として走行部３６を動作させて左旋回することを示す制御コードが送信される。認証サーバ装置２は、携帯端末装置１から制御コードを受信すると、制御対象である自律型掃除機３に、受信した制御コードを送信する。自律型掃除機３は、認証サーバ装置２から制御コードを受信すると、テーブルを参照し、受信した制御コードに関連付けられた動作指示内容が走行部３６を動作させて左旋回することであると解釈して走行部３６を動作させる。自律型掃除機３は、左キー６４ｄを長押ししている間は左旋回を続け、長押しが終了すると停止する。
【０１２５】
また、ユーザが、「遠隔操作」ソフトキー５４をタップしたときに、携帯端末装置１から認証サーバ装置２に対して動作指示内容として撮像部３８を動作させて動画の撮像を開始することを示す制御コードが送信される。認証サーバ装置２は、携帯端末装置１から制御コードを受信すると、制御対象である自律型掃除機３に、受信した制御コードを送信する。自律型掃除機３は、認証サーバ装置２から制御コードを受信すると、テーブルを参照し、受信した制御コードに関連付けられた動作指示内容が動画の撮像を開始することであると解釈して撮像部３８を動作させる。動作指示の内容が撮像部３８の動作に関する場合、自律型掃除機３は、動作の結果を示す動作結果情報として、撮像によって得られた画像データを認証サーバ装置２に送信する。認証サーバ装置２は、自律型掃除機３から画像データを受信すると、携帯端末装置１に、受信した画像データを送信する。携帯端末装置１は、認証サーバ装置２から画像データを受信すると、モニタリング画面６５に、受信した画像データを再生して表示する。
【０１２６】
撮像部３８を動作させて得られた画像データがモニタリング画面６５に表示されるので、自律型掃除機３が自宅内にある場合には、ユーザは、離れた場所から自宅内を撮像した画像を見ることができる。ユーザはソフトカーソルキー６４を操作して自律型掃除機３を走行させれば、自宅内の任意の場所を撮像部３８に撮像させて、撮像された画像を確認することができる。
【０１２７】
上記では、認証システムＡに属する携帯端末装置、すなわち認証サーバ装置２に認証を受けてログインしている携帯端末装置が１台である場合について説明したが、認証システムＡに属する携帯端末装置が複数の場合、携帯端末装置以外の端末装置、たとえばＰＣ（パーソナルコンピュータ）が認証システムＡに属していてもよい。
【０１２８】
認証システムＡに属する携帯端末装置および端末装置は、いずれもＩＤを共有するものであり、これらの間に主従関係はなく、たとえば、前述のように自律型掃除機３の遠隔制御を、認証システムＡに属する携帯端末装置および端末装置がいずれも実行することが可能である。たとえば、家族全員が自分の所有する携帯端末装置または端末装置を認証システムＡにログインさせて、自宅内にある自律型掃除機３をそれぞれ個別に遠隔制御することができる。
【０１２９】
なお、複数の携帯端末装置および端末装置によって電子機器を遠隔制御することは可能であるが、同時に遠隔制御できる携帯端末装置または端末装置は、１台に限定することが好ましい。したがって、認証システムＡに属する携帯端末装置および端末装置のうち、すでに１台の携帯端末装置または端末装置が電子機器に対して遠隔制御を行っている場合は、新たに他の携帯端末装置または端末装置が遠隔制御することができないように構成される。
【０１３０】
また、認証システムＡに属する携帯端末装置および端末装置は、いずれもＩＤを共有するものであるが、これらの間に主従関係を設定して、１台の携帯端末装置または端末装置を主となる携帯端末装置または端末装置（主端末装置）とし、その他の携帯端末装置または端末装置を副となる携帯端末装置または端末装置（副端末装置）とする。
【０１３１】
認証システムＡに属する携帯端末装置および端末装置に主従関係を設定した場合は、主端末装置のみが電子機器の遠隔制御を行うことができるようにしてもよく、副端末装置が電子機器の遠隔制御を行うことができるかどうかを主端末装置が設定するようにしてもよい。
【０１３２】
認証システムＡに属する携帯端末装置および端末装置のうち、いずれを主端末装置とするかは、ユーザが決定して、認証サーバ装置２に登録できるようにしてもよいし、前述の認証処理を最初に実行することで、電子機器を認証サーバ装置２に認証させた携帯端末装置を主端末装置として認証サーバ装置２に登録するようにしてもよい。
【０１３３】
以下では、副端末装置が遠隔制御を行うことができるかどうかを主端末装置の操作によって変更する副端末装置の制限処理について説明する。
【０１３４】
図１０は、制限処理を行う場合に携帯端末装置１の表示部１６に表示される画面例を示す図である。ここでは、予め主端末装置が携帯端末装置１であるとして説明する。本例では、主端末装置である携帯端末装置１以外に、２台の携帯端末装置であるスマートフォン（スマートフォンＸおよびスマートフォンＹ）と１台の端末装置（ＰＣ）が副端末装置として認証システムＡに属するものとする。
【０１３５】
携帯端末装置１をユーザが操作することで、ログイン状態の複数の副端末装置から１つの電子機器を選択して、選択した副端末装置が電子機器を遠隔制御することを制限する。
【０１３６】
遠隔制御サービスのメニュー画面から、現在ログインしている状態の副端末装置一覧を表示する機能を選択する。たとえば、図１０（ａ）に示すように、「端末装置一覧」ソフトキー７０が表示されるので、これをタップすると、現在ログインしている副端末装置の一覧を表示し（図１０（ｂ））、表示された副端末装置の中から１つの副端末装置、本例ではスマートフォンＸを選択する。副端末装置の選択は、たとえば、「スマートフォンＸ」ソフトキー７１、「スマートフォンＹ」ソフトキー７２、「ＰＣ」ソフトキー７３から１つのソフトキーをユーザがタップすることで選択することができる。
【０１３７】
なお、現在ログインしている副端末装置に関する情報は、携帯端末装置１が認証サーバ装置２に問い合わせることで認証サーバ装置２から得てもよく、各副端末装置に問い合わせることで個別に副端末装置から得てもよい。携帯端末装置１は、認証サーバ装置２から得た情報または各副端末装置から得た情報に基づいて、現在ログインしている副端末装置を検出して一覧表を作成する。
【０１３８】
「スマートフォンＸ」ソフトキー７１をタップすることで、制限処理の対象となる副端末装置としてスマートフォンＸが選択される。
【０１３９】
制限対象の副端末装置が選択されると、「設定変更」ソフトキー７４が表示される（図１０（ｃ））。「設定変更」ソフトキー７４をユーザがタップすると、スマートフォンＸに対する制限内容を設定する制限設定画面が表示される。制限設定画面には、制限内容を示す「機器操作」および「画像表示」の文字列に対応してチェックボックス７５が設けられている。
【０１４０】
ユーザは、スマートフォンＸに対して制限したい内容の文字列に対応するチェックボックスをチェックし、「変更」ソフトキー７６をタップすることで、スマートフォンＸに対する制限を設定できる。
【０１４１】
制限内容「機器操作」については、これをチェックすることで、スマートフォンＸが、自律型掃除機３などの電子機器に対する遠隔制御を行うことができないように制限する。制限内容「画像表示」については、これをチェックすることで、スマートフォンＸが、自律型掃除機３など撮像部を備える電子機器が撮像した画像データを受信できないように制限するか、または画像データを受信したとしても表示部に画像データに基づく画像を表示できないように制限する。
【０１４２】
たとえば、携帯端末装置１による制限処理により、スマートフォンＸが、「機器操作」も「画像表示」もいずれも制限されている場合には、スマートフォンＸでは、図７（ｂ）に示した認証機器リストにおいて、自律型掃除機３が選択できないようにすればよい。携帯端末装置１による制限処理により、スマートフォンＸが、「機器操作」が制限され、「画像表示」は制限されていない場合には、スマートフォンＸでは、自律型掃除機３の撮像部３８で撮像した画像データを受信し、図９に示した遠隔制御画面において、モニタリング画面６５に、受信した画像データに基づく画像を表示する。ただし、「機器操作」は制限されているので、スマートフォンＸが自律型掃除機３に対して制御コードを送信することを制限する。図９に示した遠隔制御画面における「運転」ソフトキー６２、「停止」ソフトキー６３、ソフトカーソルキー６４がタップされるか、長押しされた場合に、制御コードが送信されるので、たとえば、図９に示した遠隔制御画面において、「運転」ソフトキー６２、「停止」ソフトキー６３、ソフトカーソルキー６４を無効にすればよい。各ソフトキーが無効であることがわかるように、遠隔制御画面の各ソフトキーをグレー表示などとすることが好ましい。
【０１４３】
なお、上記では認証させようとする電子機器として自律型掃除機３を例として説明したが、通信機能を備えている電子機器であれば、冷蔵庫４や空気調和装置（エアコン）、照明装置（シーリングライト）などその他の家電製品に対しても同様に認証システムに組み込むことができる。
【０１４４】
本発明は、特に家電製品のうち、外部からパスワードを入力するための入力手段を有していない家電製品であっても、携帯端末装置１が家電製品の代わりとなって、認証サーバ装置２に家電製品を認証させることができる。
【符号の説明】
【０１４５】
１      携帯端末装置
２      認証サーバ装置
３      自律型掃除機
４      冷蔵庫
１１    通信部
１１ａ  アンテナ
１２    ＣＰＵ
１３    一時記憶部
１４    記憶部
１４ａ  プログラム記憶領域
１４ｂ  データ記憶領域
１５    操作部
１６    表示部
２１    通信部
２２    ＣＰＵ
２３    一時記憶部
２４    記憶部
２４ａ  プログラム記憶領域
２４ｂ  データ記憶領域
３１    通信部
３１ａ  アンテナ
３２    ＣＰＵ
３３    一時記憶部
３４    記憶部
３４ａ  プログラム記憶領域
３４ｂ  データ記憶領域
３５    吸引部
３６    走行部
３７    発光部
３８    撮像部
Ａ      認証システム
【図１】
2014021733.tif 000003
【図２】
2014021733.tif 000004
【図３】
2014021733.tif 000005
【図４】
2014021733.tif 000006
【図５Ａ】
2014021733.tif 000007
【図５Ｂ】
2014021733.tif 000008
【図６】
2014021733.tif 000009
【図７】
2014021733.tif 000010
【図８】
2014021733.tif 000011
【図９】
2014021733.tif 000012
【図１０】
2014021733.tif 000013